(57)【要約】  【目的】ＤＣ−ＤＣコンバータの電磁輻射に起因するチューナの誤選局を防止できるオーディオ装置を提供する。  【構成】オーディオ装置１０は、自動選局機能を有するチューナ２とＤＣ−ＤＣコンバータ１を備え、特に、ＤＣ−ＤＣコンバータ１の発振回路の発振周波数ｆを、少なくとも前記チューナ２の選局動作中に、２以上の異なる発振周波数ｆ１，ｆ２・・に切り替える発振周波数切替手段と、チューナ２の自動選局時に、ＤＣ−ＤＣコンバータ１の異なる発振周波数ｆ１，ｆ２・・での発振時におけるチューナ２の同一受信周波数Ｆでのそれぞれのキャリアの有無を判定する１回目と２回目のキャリア判定を行って当該受信周波数Ｆでの選局を行う選局手段と、を備える構成である。【選択図】  図２
2006135820.tif 000002
【特許請求の範囲】
【請求項１】
自動選局機能を有するチューナとＤＣ−ＤＣコンバータを備え、前記ＤＣ−ＤＣコンバータの発振周波数に関係する高周波成分が前記チューナの受信周波数帯域内に侵入して誤選局を生じることを防止するためのオーディオ装置において、
前記ＤＣ−ＤＣコンバータの発振回路の発振周波数を、少なくとも前記チューナの選局動作中に、２以上の異なる発振周波数に切り替える発振周波数切替手段と、
前記チューナの自動選局時に、受信周波数を切り替えるステップと、切り替え後の受信周波数でのキャリアの有無を判定する１回目のキャリア判定を行うステップと、前記１回目のキャリア判定でキャリア無しと判定された場合に、前記受信周波数を切り替えるステップに移行するステップと、前記１回目のキャリア判定でキャリア有りと判定された場合に、前記ＤＣ−ＤＣコンバータにおける発振周波数が前記１回目のキャリア判定時の発振周波数と異なる発振周波数の時に同一受信周波数におけるキャリアの有無を判定する２回目のキャリア判定を行うステップと、前記２回目のキャリア判定でキャリア無しと判定された場合に前記受信周波数を切り替えるステップに移行するステップと、前記２回目のキャリア判定でキャリア有りと判定された場合に選局動作を完了するステップとを制御する選局手段と、を備えることを特徴とするオーディオ装置。
【請求項２】
請求項１に記載のオーディオ装置において、前記ＤＣ−ＤＣコンバータの発振周波数の周波数帯域が前記チューナの受信周波数帯域の略１／ｎ倍に相当する場合に、前記ＤＣ−ＤＣコンバータの２以上の異なる発振周波数の相互の周波数差のｎ倍が、前記チューナの選局する放送局間の最小周波数間隔の２倍以上である関係にあることを特徴とするオーディオ装置。
【発明の詳細な説明】
【技術分野】
【０００１】
本発明は、自動選局機能を有するチューナとＤＣ−ＤＣコンバータを備えるオーディオ装置（所謂オーディオシステムやオーディオ・ビジュアルシステムを含む。）におけるチューナの誤選局防止対策の技術分野に属する。
【背景技術】
【０００２】
例えば、自動選局機能を有するＡＭラジオチューナと電源回路にＤＣ−ＤＣコンバータをシステム内に備えるオーディオ装置において、前記ＤＣ−ＤＣコンバータ内の発振回路からの電磁輻射（特にその高調波成分）によってＡＭラジオチューナが妨害を受けることがある。
【０００３】
特に、選局中（シーク中）に妨害を受けると、実際には放送局の存在しない受信周波数でシークが停止する（選局されたと判定して選局が完了する。）という誤選局が生じる場合がある。
【０００４】
上記ＤＣ−ＤＣコンバータを電源回路に適用すると、マイナス電源を作ったり、種々のＤＣ電源を作るのに便利であり、発熱も比較的少ないので、オーディオ装置の小型化などに有益である。しかしながら、ＤＣ−ＤＣコンバータはスイッチング素子からなる発振回路を構成要素としており、前述の電磁輻射のチューナへの影響が問題になるので、自動選局機能を有するチューナを備えるオーディオ装置への適用はあまり進展していないのが現状である。
【０００５】
従来は、比較的実装スペースに余裕のあるオーディオ装置において、上記ＤＣ−ＤＣコンバータを用いる場合は、基板のパターンレイアウトの修正を行って可及的にＤＣ−ＤＣコンバータからの電磁輻射の影響をチューナが受けないように離すレイアウトとする対策や、電磁輻射対策部品の追加で対応することが多かった。また、ＤＣ−ＤＣコンバータの発振回路をシールドする対策も行なわれてきた。
【０００６】
ところで、上記ＤＣ−ＤＣコンバータの発振周波数とＡＭラジオ受信に関する電磁輻射の妨害の問題を扱う公知文献として、下記［特許文献１］に、自動車搭載用ＤＣ−ＤＣコンバータに関する発明が開示されている。
【０００７】
これは、自動車搭載用ＤＣ−ＤＣコンバータとＡＭ放送波との関係において、コンバータのスイッチングに伴うＡＭ放送の受信障害を解消する目的で、ＤＣ−ＤＣコンバータのスイッチング周波数を、車載のカーラジオが受信するＡＭ放送波の隣接する放送周波数差の整数倍の周波数とする。または、車載のカーラジオが受信するＡＭ放送波の選局周波数を検出し、ＤＣ−ＤＣコンバータのスイッチング周波数の整数倍の周波数が、前記選局周波数に対して規定周波数差を有するようにスイッチング周波数を予め選択し、出力する構成とするものである。
【０００８】
【特許文献１】特開２００２−３３５６７２号公報
【発明の開示】
【発明が解決しようとする課題】
【０００９】
従来のＤＣ−ＤＣコンバータの電磁輻射のチューナに対する妨害対策に関しては、小さな筐体に高密度にＡＭ／ＦＭチューナ、アンプ及びＣＤ、ＭＤ或いはＤＶＤなどの再生機器を実装したものが多いカーオーディオ装置などの小型で一体型のオーディオ装置では、ＤＣ−ＤＣコンバータの電磁シールドに十分なスペースの確保が困難であり、且つコスト上昇が避けられない。
【００１０】
また、従来の基板のパターンレイアウトの修正やシールド対策は、基板が出来上がらないと効果の確認がとれないし、コスト上昇となって跳ね返ってくる。
【００１１】
さらに、前記[特許文献１]の発明は、ＡＭチューナの選択しようとする受信周波数ごとにそれぞれ妨害を受けないような発振周波数となるように予めＤＣ−ＤＣコンバータ側でその発振周波数を切り替えるとするものである。したがって、ＤＣ−ＤＣコンバータの発振周波数としては、仕向地（日本、欧州、米国、アジア諸国など）ごとにそれぞれ発振周波数を変える必要が生じる。
【００１２】
これではＤＣ−ＤＣコンバータの回路構成が複雑になり過ぎて、装置の小型化に相反し、且つ、コスト上昇に繋がることになる。また、セッティングが面倒という難点もある。
【００１３】
本発明は上記事情に鑑みてなされたものであり、極めて簡単で低コスト、且つ、スペース不要の構成でありながら、確実にＤＣ−ＤＣコンバータの発振回路の電磁輻射に起因するチューナの誤選局を防止できるオーディオ装置を提供することを目的とする。
【課題を解決するための手段】
【００１４】
本発明は、
（１）  自動選局機能を有するチューナ２とＤＣ−ＤＣコンバータ１を備え、前記ＤＣ−ＤＣコンバータ１の発振周波数ｆに関係する高周波成分が前記チューナ２の受信周波数帯域内に侵入して誤選局を生じることを防止するためのオーディオ装置において、前記ＤＣ−ＤＣコンバータ１の発振回路ＯＳＣの発振周波数ｆを、少なくとも前記チューナ２の選局動作中に、２以上の異なる発振周波数ｆ１，ｆ２,・・に切り替える発振周波数切替手段と、前記チューナ２の自動選局時に、受信周波数Ｆを切り替えるステップＳ１と、切り替え後の受信周波数Ｆでのキャリアの有無を判定する１回目のキャリア判定を行うステップＳ２と、前記１回目のキャリア判定でキャリア無しと判定された場合に、前記受信周波数Ｆを切り替えるステップＳ１に移行するステップＳ３と、前記１回目のキャリア判定でキャリア有りと判定された場合に、前記ＤＣ−ＤＣコンバータ１における発振周波数ｆが前記１回目のキャリア判定時の発振周波数と異なる発振周波数の時に同一受信周波数Ｆにおけるキャリアの有無を判定する２回目のキャリア判定を行うステップＳ４と、前記２回目のキャリア判定でキャリア無しと判定された場合に前記受信周波数Ｆを切り替えるステップＳ１に移行するステップＳ５と、前記２回目のキャリア判定でキャリア有りと判定された場合に選局動作を完了するステップＳ６とを制御する選局手段と、を備えることを特徴とするオーディオ装置１０を提供することにより、上記課題を解決する。
（２）  上記（１）に記載のオーディオ装置１０において、前記ＤＣ−ＤＣコンバータ１の発振周波数ｆ１，ｆ２,・・の周波数帯域が前記チューナ２の受信周波数帯域の略１／ｎ倍に相当する場合に、前記ＤＣ−ＤＣコンバータ１の２以上の異なる発振周波数ｆ１，ｆ２,・・の相互の周波数差Δｆのｎ倍が、前記チューナ２の選局する放送局間の最小周波数間隔ｆｄの２倍以上である関係にあることを特徴とするオーディオ装置１０を提供することにより、上記課題を解決する。
【発明の効果】
【００１５】
本発明に係るオーディオ装置は、上記のような構成のため、
（１）  装置に内蔵するＤＣ−ＤＣコンバータの電磁輻射に起因する自動選局機能を有するチューナの誤選局を防止することができる。
（２）  特に、カーオーディオ装置において、レシーバ、アンプ、記録媒体の再生装置などを一体に１つのケースに高密度に実装する場合に有効である。
（３）  自動選局機能を有するチューナ付のオーディオ装置において、発振周波数を仕向地ごとにそれぞれ変更しなくてもよいＤＣ−ＤＣコンバータを電源回路などに適用することが容易となる。
（４）  自動選局機能を有するＡＭラジオチューナを備えるオーディオ装置において、ＤＣ−ＤＣコンバータを用いた電源回路が適用でき、発熱が抑えられて、高密度実装によって装置の小型化が実現する。
【発明を実施するための最良の形態】
【００１６】
本発明に係るオーディオ装置の実施の形態について図面に基づいて説明する。
【００１７】
図１は本発明に係るオーディオ装置の自動選局機能を有するチューナとＤＣ−ＤＣコンバータの関係を説明するためのブロック図である。図２はオーディオ装置の制御装置（システムコントローラ）が行うチューナの自動選局時の制御フローである。図３は本発明に係るオーディオ装置のＤＣ−ＤＣコンバータの発振周波数とＡＭラジオチューナの受信周波数との関係を説明するための図である。
【００１８】
図１に示されるように、本発明に係るオーディオ装置１０は、自動選局機能（ＰＬＬ方式のデジタルチューニングシステム）を有するチューナ２とＤＣ−ＤＣコンバータ１を備え、前記ＤＣ−ＤＣコンバータ１の発振周波数ｆに関係する高周波成分（主として高調波成分）が前記チューナ２の受信周波数帯域内に侵入して誤選局を生じることを防止するためのオーディオ装置であって、特に、前記ＤＣ−ＤＣコンバータ１の発振回路ＯＳＣの発振周波数ｆを、少なくとも前記チューナ２の選局（シーク）動作中に、２以上の異なる発振周波数ｆ１，ｆ２,・・に切り替える発振周波数切替手段と、前記チューナ２の自動選局時に、前記ＤＣ−ＤＣコンバータ１の異なる発振周波数ｆ１，ｆ２,・・での発振時におけるチューナ２の同一受信周波数Ｆでのそれぞれのキャリアの有無を判定して当該受信周波数Ｆでの選局を行う選局手段と、を備える構成となっている。
【００１９】
上記ＤＣ−ＤＣコンバータ１における発振回路ＯＳＣの２以上の異なる発振周波数ｆ１，ｆ２・・の切替を行う発振周波数切替手段は、例えば、前記制御装置（システムコントローラ）３によるＤＣ−ＤＣコンバータ１内の発振回路の容量と抵抗を切り替えるスイッチを一定の切替時間間隔ｔで繰り返し叩くだけの制御で済む。これによって例えば２つの発振周波数ｆ１，ｆ２の場合は、周期ｔ（１ｍｓ〜数十ｍｓ程度に設定する。）の間隔で交互に切り替わるが、この２つの発振周波数ｆ１，ｆ２の周波数差Δｆが数十ｋＨ以内であれば、その発振周波数ｆの変化は１００ｋＨｚ級以上のＤＣ−ＤＣコンバータ１の出力に殆ど影響しない。
【００２０】
また、前記ＤＣ−ＤＣコンバータ１における発振周波数ｆ１，ｆ２の切替時間間隔ｔは、受信周波数でのキャリアの有無の判定に必要な時間以上の時間間隔であればよく、１ｍｓ以上あれば十分といえる。
【００２１】
なお、上記２以上の異なる発振周波数ｆ１，ｆ２・・は２つの発振周波数ｆ１，ｆ２とするのが回路構成、制御共に簡単であり好ましいが、勿論、３つ以上の異なる発振周波数が用意されてもよい。また、発振周波数ｆ１，ｆ２・・の切替は少なくともチューナ２の選局時に行われれば済むが、勿論、選局時以外でも常時切替が行われてもよい。
【００２２】
次に、上記選局手段は、チューナ２の或る受信周波数Ｆでの放送局の同調（キャリア有り）の判定を、前記ＤＣ−ＤＣコンバータ１の異なる発振周波数ｆ１，ｆ２,・・での発振時におけるキャリアの有無の判定をそれぞれ行った結果から出している。
【００２３】
例えば、前記チューナ２の自動選局時において、図２のフローのように、ユーザーによるキー操作でチューナ２がシークを開始すると、図１における制御装置（システムコントローラ）３からの制御信号ｃ１によりオーディオアンプ４に音声ミュートが掛かり、次に、チューナ２の受信周波数Ｆを前記制御装置３からの制御信号ｃ２により所定の周波数間隔（チューナ２の自動選局する放送局間の最小周波数間隔（日本のＡＭラジオ放送で９ｋＨｚ））ｆｄで順次に切り替えるステップＳ１と、切り替え後の受信周波数Ｆでのキャリアの有無を判定する１回目のキャリア判定を行うステップＳ２と、前記１回目のキャリア判定でキャリア無しと判定された場合に、前記受信周波数Ｆを切り替えるステップＳ１に移行するステップＳ３と、前記１回目のキャリア判定でキャリア有りと判定された場合に、前記ＤＣ−ＤＣコンバータ１における発振周波数ｆが前記１回目のキャリア判定時の発振周波数（例えばｆ１）と異なる発振周波数（例えばｆ２）の時に同一受信周波数Ｆにおけるキャリアの有無を判定する２回目のキャリア判定を行うステップＳ４と、前記２回目のキャリア判定でキャリア無しと判定された場合に前記受信周波数Ｆを切り替えるステップＳ１に移行するステップＳ５と、前記２回目のキャリア判定でキャリア有りと判定された場合に選局動作を完了する（シーク停止、音声ミュート解除）ステップＳ６と、を制御装置３によって制御する構成となっている。
【００２４】
前記１回目のキャリア判定を行うステップＳ２と前記２回目のキャリア判定を行うステップＳ４との間では、必ずＤＣ−ＤＣコンバータ１での発振周波数の切替（ｆ１からｆ２への切替またはｆ２からｆ１への切替）が行われており、制御装置３は２回目のキャリア判定が１回目のキャリア判定時のＤＣ−ＤＣコンバータ１の発振周波数ｆ１と異なる発振周波数ｆ２での発振状態時であることを切替制御信号ｃ３などから検知して行うように制御する。
【００２５】
以上のような選局手段によれば、１回目のキャリア判定によるキャリア有りの判定がＤＣ−ＤＣコンバータ１の一方の発振周波数（例えばｆ１）の電磁輻射の影響（高調波の妨害）に起因するものであれば、必ず２回目のキャリア判定時ではＤＣ−ＤＣコンバータ１の発振周波数はｆ２に切り替わっているので電磁輻射の影響が解消されて判定が覆されることになり、選局中にＤＣ−ＤＣコンバータ１の電磁輻射の影響を排除することができ、誤選局によってシーク動作が停止することが防止される。
【００２６】
特に、上記オーディオ装置１０において、自動選局機能を有するチューナがＡＭラジオチューナであり、ＤＣ−ＤＣコンバータ１の２つの異なる発振周波数ｆ１，ｆ２が１００〜３００ｋＨｚの範囲にあり、発振周波数ｆ１，ｆ２の周波数差Δｆが１０ｋＨｚ〜４０ｋHzの範囲内にあるオーディオ装置の場合は、現在問題になっているＤＣ−ＤＣコンバータを電源回路として使用した場合のＡＭラジオ放送の誤選局が防止されるので有益である。
【００２７】
これは、現実のＡＭラジオ放送の周波数帯域が５３１〜１６２９ｋＨｚ（日本の場合であり、他国も概ね同様の周波数帯域にある。）であり、一般的なＤＣ−ＤＣコンバータ１の発振周波数が１００ｋＨｚ級でその数次の高調波と重なる周波数帯域の関係にあることから、現に電磁輻射の影響が誤選局を発生させているという点から、有効な対策となり得るのである。
【００２８】
上記関係を具体的に説明すると、図３において、ＤＣ−ＤＣコンバータ１の２つの異なる発振周波数ｆ１，ｆ２をｆ１＝３００ｋＨｚ，ｆ２＝２７５ｋＨｚとすると、その周波数差Δｆ（＝ｆ１−ｆ２）は２５ｋＨｚである。
【００２９】
そして、チューナ２での自動選局時の受信周波数Ｆが９００ｋＨｚであるとすると、前記ＤＣ−ＤＣコンバータ１の発振周波数ｆ１の３次高調波ｆ１”が９００ｋＨｚなので、９００ｋＨｚのＡＭラジオ放送局がないにもかかわらずキャリア有りと１回目のキャリア判定で認識しても、２回目のキャリア判定時には発振周波数ｆ２となっているので、その３次高調波ｆ２”は受信周波数９００ｋＨｚからΔｆ”（＝３・（ｆ１−ｆ２））ずれることになり、キャリア無しと判定されることになって、誤選局が防止される。
【００３０】
即ち、１回目の判定でキャリア有りと誤認識しても、２回目の判定でＤＣ−ＤＣコンバータ１の電磁輻射の影響は除かれてキャリア無しと判定されれば、１回目のキャリア有りの判定はＤＣ−ＤＣコンバータ１の電磁輻射の影響によるものと考えることができ、そこで選局動作（シーク）を停止しないという処理を取るのである。
【００３１】
ここで、チューナ２側で或る受信周波数ＦにおけるＤＣ−ＤＣコンバータ１の電磁輻射の影響の有無をキャリアの有無で判定するには、少なくともチューナ２の選局する周波数帯域の放送局間の最小周波数間隔（日本のＡＭラジオ放送で９ｋＨｚ）ｆｄ以上の周波数差が、少なくとも異なる発振周波数ｆ１，ｆ２間もしくはその高調波間で存在しなければならないと考えられる。したがって、確実さを求めて前記周波数差Δｆは前記最小周波数間隔ｆｄの２倍以上である関係が望ましいと言える。この意味でＤＣ−ＤＣコンバータ１の２つ以上の異なる発振周波数ｆ１，ｆ２・・の相互の周波数差Δｆは許容される下限値がある。
【００３２】
上記関係を定量的に述べると、上記オーディオ装置１０において、ＤＣ−ＤＣコンバータ１の発振周波数ｆ１、ｆ２の周波数帯域がチューナ２の受信周波数帯域の略１／ｎ倍（ｎ＝１，２，３，・・・）に相当する場合に、前記ＤＣ−ＤＣコンバータの２以上の異なる発振周波数ｆ１，ｆ２・・の相互の周波数差Δｆのｎ倍が、前記チューナ２の選局する放送局間の最小周波数間隔ｆｄの２倍以上である関係にあれば必要十分であると考えられる。蓋し、仮にＤＣ−ＤＣコンバータ１の発振周波数ｆ１，ｆ２・・がチューナ２の受信周波数帯域と同じ帯域にあったとしても（ｎ＝１の場合）、考えられうる２放送局間の最小周波数間隔ｆｄの２倍以上離れた周波数に対する同一の受信周波数におけるそれぞれのキャリア有無の判定になるので誤判定が回避されるのである。
【００３３】
本発明の実施例の場合では、ＡＭラジオチューナに対し、ＤＣ−ＤＣコンバータの２つの異なる発振周波数ｆ１，ｆ２を３００ｋＨｚと２７５ｋＨｚとし、その周波数差Δｆは２５ｋＨｚに最適化した（図３参照）。
【００３４】
次に、前記ＤＣ−ＤＣコンバータ１は、他の発振回路を構成要素とするオーディオ関連の回路と比較して、発振周波数の変動がその出力その他にあまり影響しない回路構成となっているが、勿論、前記発振周波数ｆ１，ｆ２・・の相互の周波数差Δｆは、ＤＣ−ＤＣコンバータ１における出力その他に影響を与えない範囲内に留めなければならない。この意味で周波数差Δｆは無制限の値ではなく、許容される上限値がある。尤も、この上限値は定量的には定められず、ＤＣ−ＤＣコンバータ１の回路特性に依存するが、一般に、ＤＣ−ＤＣコンバータの２以上の異なる発振周波数が１００〜３００ｋＨｚの範囲にあり、発振周波数ｆ１，ｆ２の周波数差が１５〜４０ｋHzの範囲内にある場合には、十分に上記要請を満たすといえる。
【００３５】
なお、本発明が適用されるのは上述のＡＭラジオチューナを備えるオーディオ装置の場合に限定される訳ではない。
【００３６】
一般的には、電源回路で使用されるＤＣ−ＤＣコンバータの発振周波数は、１００〜３００ｋＨｚの範囲の所謂１００ｋＨｚ級のものが多く、周波数帯域５３１〜１６２９ｋＨｚのＡＭラジオがその高調波の影響を受けやすいといえるが、１ＭＨｚ超級の発振周波数のＤＣ−ＤＣコンバータを電源回路やその他の回路で使用する場合も今後あり得ると考えられる。
【００３７】
然るに、７６〜９０ＭＨｚの高周波帯域のＦＭラジオ放送やＴＶ放送の音声チャンネルの受信においても、そのチューナにおけるＤＣ−ＤＣコンバータの電磁輻射に起因する誤選局の問題が生じる事態になることが想定される。
【００３８】
この場合も、ＤＣ−ＤＣコンバータ１の発振周波数ｆ１，ｆ２・・の周波数帯域がチューナ２の受信周波数帯域のｎ倍に相当する場合に、前記ＤＣ−ＤＣコンバータ１の異なる発振周波数ｆ１，ｆ２・・の相互の周波数差Δｆのｎ倍が、前記チューナ２の選局する放送局間の最小周波数間隔ｆｄの２倍以上である関係にあれば、チューナ２の自動選局時において、２回目のキャリア判定でＤＣ−ＤＣコンバータ１の発振周波数による影響で１回目のキャリア判定で受信周波数にキャリアが有ると誤判定したか否かが判別されるので、最終的にチューナ２の選局時のＤＣ−ＤＣコンバータ１の電磁輻射による誤選局の問題は解決されることになる。
【図面の簡単な説明】
【００３９】
【図１】本発明に係るオーディオ装置の自動選局機能を有するチューナとＤＣ−ＤＣコンバータの関係を説明するためのブロック図である。。
【図２】本発明に係るオーディオ装置の制御装置（システムコントローラ）が行うチューナの自動選局時の制御フローである。
【図３】本発明に係るオーディオ装置のＤＣ−ＤＣコンバータの発振周波数とチューナの受信周波数との関係を説明するための図である。
【符号の説明】
【００４０】
１    ＤＣ−ＤＣコンバータ
２    チューナ（またはＡＭチューナ）
３    制御装置（システムコントローラ）
４    オーディオアンプ
１０    オーディオ装置
Ｆ    受信周波数
ｆ，ｆ１，ｆ２・・    発振周波数
ｆ１”，ｆ２”・・    高調波
Δｆ    周波数差
ｆｄ    チューナの選局する放送局間の最小周波数間隔
ｎ    倍率（高調波次数）
ｔ    切替時間間隔
【図１】
2006135820.tif 000003
【図２】
2006135820.tif 000004
【図３】
2006135820.tif 000005